(57)【要約】【課題】カメラ、包丁、のこぎりのような一般治工具等の使用において、正確に治工具を操作するために、それらの治工具の角度や方向など水平度及び垂直度を容易に目視にて推し量るための簡易装置で且つあらゆる治工具に適応できる汎用性のある角度状態確認装置を実現すること。【解決手段】本発明に係る角度状態確認装置は、立方体及び／若しくは直方体及び／若しくは円柱体である透明な立体構造物の一つの底面の略中央部に目印となる印点（ポイントマーク）を有し、この面と対向する他の面の外周辺に太線等の外周線等を付することによって、この外周線のある面から印点のある底面に向かって覗き込んで見た際、直線性及び角度状態を確認することができる。【選択図】図１
2015148599.tif 000002
【特許請求の範囲】
【請求項１】
立方体及び／若しくは直方体及び／若しくは楕円を含む円柱体及び／若しくは球体である透明な立体構造物と、
前記立体構造物の外周又は内部に１以上の印点と、
前記立体構造物の外周に前記印点と離れて１以上の外周線と
を具備して構成される角度状態確認装置。
【請求項２】
前記立体構造物が実体的に実在しない架空の立体構造物であって、
前記架空の立体構造物の外周又は内部に１以上の印点と、
前記架空の立体構造物の外周に前記印点と離れて１以上の外周線と
を具備して構成される角度状態確認装置。
【請求項３】
前記透明な立体構造物が立方体及び／若しくは直方体であって、
前記印点が前記立体構造物の１の面の略中央にあり、
前記外周線が前記１の面と対向するもう一方の面の外周辺にあること
を特徴とする請求項１又は２に記載の角度状態確認装置。
【請求項４】
前記透明な立体構造物が円柱体であって、
前記印点が前記円柱体の１の底面の略中央にあり、
前記外周線が前記底面と対向するもう一方の底面の外周にあること
を特徴とする請求項１又は２に記載の角度状態確認装置。
【請求項５】
前記球体前記透明な立体構造物が球体であって、
前記印点が前記球体の略中央部にあり、
前記外周線が前記球体の外周であって垂直方向に９０度の角度で交わる２本の外周線と水平方向に直角に交わる１本の外周線であること
を特徴とする請求項１又は２に記載の角度状態確認装置。
【請求項６】
前記透明な立体構造物が立方体及び／若しくは直方体であって、
前記印点が前記立体構造物の略中央部にあり、
前記外周線が前記立体構造物の１の面の上方辺と下方辺とに２本あり且つ前記１の面と対向するもう一方の面の左辺と右辺とに２本あること
を特徴とする請求項１又は２に記載の角度状態確認装置。
【請求項７】
前記透明な立体構造物が立方体及び／若しくは直方体及び／若しくは円柱体であって、
前記立体構造物の１の底面の略中央部に前記印点を有し且つ前記立体構造物の側面には色彩を付したこと
を特徴とする角度状態確認装置。
【請求項８】
前記立体構造物の底面に前記印点がないこと
を特徴とする請求項７に記載の角度状態確認装置。
【請求項９】
計量カップ、包丁、のこぎり、治工具、カメラ、ビデオ撮影機のいずれかに固定するための取り付け片をさらに有する請求項１乃至８のいずれか１項に記載の角度状態確認装置。
【請求項１０】
請求項１乃至９のいずれか１項記載の角度状態確認装置であって１以上の前記角度状態確認装置を有する計量カップ。
【請求項１１】
請求項１乃至９のいずれか１項記載の角度状態確認装置であって１以上の前記角度状態確認装置を有する包丁。
【請求項１２】
請求項１乃至９のいずれか１項記載の角度状態確認装置であって１以上の前記角度状態確認装置を有するのこぎり。
【請求項１３】
請求項１乃至９のいずれか１項記載の角度状態確認装置であって１以上の前記角度状態確認装置を有する治工具。
【請求項１４】
請求項１乃至９のいずれか１項記載の角度状態確認装置であって１以上の前記角度状態確認装置を有するカメラ。
【請求項１５】
請求項１乃至９のいずれか１項記載の角度状態確認装置であって１以上の前記角度状態確認装置を有するビデオ撮影機。
【発明の詳細な説明】
【技術分野】
【０００１】
本発明は、物品に取り付けることによって当該物品の水平又は垂直等角度や向きを安易に確認することができる角度状態確認装置に関する。
【背景技術】
【０００２】
料理の際、包丁で食材を略垂直にまっすぐ切ったり水平を保って切ったりするのは、プロの料理人以外はなかなか難しい。たとえば、食パンを切るとき上から下まで均一の厚さにならないことがある。このようなことを避けるため特許文献１のような食パンをまっすぐ切るための支援ガイドが各種販売されているが、食パンを切るときにしか使えず、比較的かさばるガイドのため収納するのも面倒である。
【０００３】
また、たとえば一般家庭で肉などの柔らかい食材を切るときのための簡便なガイドや支援補助具はなかなか見当たらない。さらに、食材によっては包丁を水平に保ちながら均一な厚さに切る必要のある場合も生ずるが、これらを補助するガイドや支援補助具も見当たらない。
【０００４】
上記では包丁で食材を切る場合を例に挙げたが、のこぎりで材木を切断する場合には切断厚さが異なったり垂直面がずれたりすると組み立て時にずれを生ずる等の支障を生ずることとなる。このため各種の切断支援補助具が販売されているが、日曜大工好きの一般ユーザが簡便に用いることができる支援補助具は見当たらない。
【０００５】
またカメラ等の写真撮影において、カメラのレンズ方向を自分の方向に向けて自分で自分自身を撮影する（以降、「自分撮り」と称する。）際は、自らの位置が撮影する画面の中の意図する位置になるようにカメラの左右上下の方向をうまく捉え確認するのは容易ではない。自らの写真映像の位置がどのようになるかを簡易に推し量るための支援補助具は見当たらない。
【０００６】
垂直状態を指示する器具としては水準器が知られている。この器具は、液体中に気泡を封入して、気泡が中央になるよう保持することによって保持面の水平を知ることができる。この水準器を包丁に装備して垂直に切ることができる考案が特許文献２に開示されている。
【０００７】
水準器によって包丁を垂直に構えることはできるが、実際に切断にかかって包丁が動き始めると、水準器中の液体は質量があるため包丁の動きによって加速度がかかり振動する、すなわち液体が振動することにより気泡がふらふら動くため、包丁の垂直状態を確認しながら使用することは非常に困難であろうと考えられる。
【０００８】
また登録実用新案文献１には、食パンをサンドイッチに用いるように一定の厚さにスライス切断するための補助用具についての技術思想が開示されている。しかしこの技術は、食パンを一定の厚さで継続して切断する事業者ためには良い補助具として有効であると思われるが、一般家庭で使用する食パン切り補助具としては大き過ぎ、しかも高価なものであり、家庭の台所に逐次装備するのには適さない。
【０００９】
しかも上記文献の技術は食パンを切断するためのみに用いる技術であり、その他の治工具の使用において、その使用の際、垂直又は水平を簡易に目視しながら正確に把握する一般用途としては使用できない。
【先行技術文献】
【特許文献】
【００１０】
【特許文献１】実用新案登録第３１８３０４２号公報
【特許文献２】特開平８−１８７３７１号公報
【発明の概要】
【発明が解決しようとする課題】
【００１１】
上記のごとく、例えば、包丁やのこぎりに付加することにより、使用者が包丁やのこぎりの略垂直状態を確認しながら使用することができる支援装置の実現が課題である。
【００１２】
また、上記例に挙げたパン切り装置のような大型装置ではなく、できるかぎり簡便な装置の実現も課題である。
【００１３】
上記例の包丁やのこぎりを使用する際、まっすぐ垂直に使用しているつもりでも、使用者の癖によって若干右や左に傾いてしまう場合が多い。このためにも包丁やのこぎりの切断作業中にも略垂直状況を確認しやすい用具を提供することも課題であり、安価な包丁やのこぎりに簡単に付加できる安価な装置を実現することも本願の課題である。
【００１４】
さらに、カメラ等で自分撮りをするためにカメラの向き角度を容易に目視確認できるような簡易装置や、その他の一般治工具等の使用において、正確に治工具を操作するためにそれらの治工具の角度や方向など水平度及び垂直度を容易に目視にて推し量るための簡易装置で且つあらゆる治工具に適応である汎用性のある角度状態確認装置を実現することが望まれており、本願の課題である。
【課題を解決するための手段】
【００１５】
かかる課題を解決するために、本発明に係る角度状態確認装置は、
立方体及び／若しくは直方体及び／若しくは楕円を含む円柱体及び／若しくは球体である透明な立体構造物と、
前記立体構造物の外周又は内部に１以上の印点と、
前記立体構造物の外周に前記印点と離れて１以上の外周線と
を具備して構成される。
【００１６】
すなわち本発明に係る角度状態確認装置は、立方体及び／若しくは直方体及び／若しくは円柱体である透明な立体構造物の一つの底面の略中央部に目印となる印点（ポイントマーク）を有し、この面と対向する他の底面の外周辺に太線等の外周線等を付することによって、この外周線のある面から印点（ポイントマーク）のある底面に向かって覗き込んで見た場合の直線性を確認することができる。例えば外周線で囲われた四角形の中央部に印点（ポイントマーク）が映れば、まっすぐ見ていることがわかる。本発明に係る角度状態確認装置の印点は、ポイントマークであり好ましくは小さな黒丸がよいが、丸印であっても点であっても十字印であってもよい。また文字、図形、記号又はこれらと色彩との結合であってもよい。以降、「印点」と称する。
【００１７】
同様に本発明に係る角度状態確認装置は、上記外周線のある面から印点のある底面に向かって覗き込んで見た際、印点が外周線で囲われた四角形又は円形の中央部からずれている場合には、外周線のある面から印点のある底面に向かった直線に対して、傾いて見ていることがわかるのである。
【００１８】
このように本発明に係る角度状態確認装置は、例えばこの角度状態確認装置を計量カップなどに取り付けた場合、その計量カップを保持する者が角度状態確認装置の外周線のある面から印点のある面をまっすぐに覗き見ることによって、保持した軽量カップの水平性や垂直性を簡易に確認することができる。
【００１９】
本発明に係る角度状態確認装置が計量カップの水平又は垂直に対して正確な方向に取り付けられていれば、角度状態確認装置のまっすぐに覗き込んだ四角形又は円形の外周線の中央部に印点を合せるように計量カップの保持角度を調節することによって、軽量カップの保持角度を水平又は垂直に矯正することができる。
【００２０】
本発明に係る角度状態確認装置の外周線は上述の立体構造体の表面に付される線であるが、好ましくは黒い太い線がよい。しかしその他の線又は色彩線であってもよく、線分である場合、曲線または円である場合もある。以降、「外周線」と称する。
【００２１】
請求項３に係る発明は、前記透明な立体構造物が立方体及び／若しくは直方体であって、前記印点（ポイントマーク）が前記立体構造物の１の面の略中央にあり、前記外周線が前記１の面と対向するもう一方の面の外周辺にあることを特徴とする角度状態確認装置である。
【００２２】
また、請求項４に係る発明は、前記透明な立体構造物が円柱体であって、前記印点が前記円柱体の一つの底面の略中央にあり、前記外周線が前記底面と対向するもう一方の底面の外周にあることを特徴とする角度状態確認装置である。
【００２３】
請求項５に係る角度状態確認装置は、前記透明な立体構造物が球体であって、前記印点が前記球体の略中央部にあり、前記外周線が前記球体の外周であって垂直方向に９０度の角度で交わる２本の外周線と水平方向に直角に交わる１本の外周線であることを特徴とする。
【００２４】
つまり、透明球体の略中央部に黒点又は黒球などの印点を有し、外周の球体表面に互いに直角に交わる３本の円周線である外周線を付すことにより構成される。この３本の外周線を水平及び前後左右の垂直に合せて治工具等の部材に取り付けることによって、その治工具を操作する者は、治工具の水平及び垂直の設定具合を簡易に確認することができる。
【００２５】
請求項６に係る角度状態確認装置は、前記透明な立体構造物が立方体及び／若しくは直方体であって、前記印点（ポイントマーク）が前記立体構造物の略中央部にあり、前記外周線が前記立体構造物の一つの面の上方辺と下方辺とに２本あり、且つ前記一つの面と対向するもう一方の面の左辺と右辺とに２本あることを特徴とする。
【００２６】
上記本発明である角度状態確認装置は、カメラ又はビデオ撮影装置等に取り付け、自分でその撮影装置を把持しつつ自分を撮影する（以降、「自分撮り」と称する。）場合に用いる角度状態確認装置であって、撮影される自分の画像内に映る位置を簡易に確認しながら自分撮りをすることができる。その詳細は後述する発明を実施するための形態において説明する。
【００２７】
加えて、本発明に係る角度状態確認装置は、前記立体構造物が実体的に実在しない架空の立体構造物であって、前記架空の立体構造物の外周又は内部の一定の位置に１又は２以上の印点と、前記架空の立体構造物の外周の一定の位置に前記印点とは離れて１又は２以上の外周線とを具備して構成することもできる。
【００２８】
つまり本発明に係る角度状態確認装置を構成する立体構造物は、実際に形状を有する透明構造物でなくてもよく、架空にその稜線が認識できる位置に、印点や外周線となる物体又は印刷物が存在すれば、その目的を達することができる。例えば、針金のようなもので角度状態確認装置の立体構造物の外径のみを構成し、印点又は外周線の部分のみを印刷物等の部材で構成してもよい。
【００２９】
また本発明に係る角度状態確認装置は、前記透明な立体構造物が立方体及び／若しくは直方体及び／若しくは円柱体であって、前記立体構造物の一つの底面の略中央部に前記印点を有し且つ前記立体構造物の側面には色彩を付したことを特徴として構成することもできる。
【００３０】
同様に、本発明に係る角度状態確認装置は、前記透明な立体構造物が立方体及び／若しくは直方体及び／若しくは円柱体であって、前記立体構造物の側面には色彩を付したことのみをもって構成することもできる。
【００３１】
つまり角度状態の認識及び確認は、必ずしも覗き込む面の中央部に印点を付することを必須の条件としなくてもよい。例えば、覗き込む立体構造物の二面を囲む側面に色彩が付されていれば、見る角度がその直線状になければ前後左右どちらか一方の側面が際立って厚く見えるため、見る角度が傾いていることを簡易に認識することができる。
【００３２】
以上のように、本発明に係る角度状態確認装置は、その装置を一定方向から覗き込むことによって映る内部の画像の中心からの角度対称性を認識把握することによって、角度状態確認装置とそれを利用する者との角度状態の差異を簡易に確認するものである。
【００３３】
よって、本発明に係る角度状態確認装置を計量カップ、包丁、のこぎり、治工具、カメラ、ビデオ撮影機等に固定することによって、それらを操作する際、使用者は自己及びそれらの操作物が必要な水平状態又は垂直状態を確保しているか否かを簡易に確認することができる。また本発明に係る角度状態確認装置はその構造が簡易であり、大きさ等の制約もないため安価に製造し、装着し利用することができる。
【００３４】
ここで言う円柱体とは、断面が円形である円筒はもちろんのこと、断面が楕円等の各種断面形状を有する型を含むものである。
【発明の効果】
【００３５】
以上、説明したように、本発明に係る角度状態確認装置は、計量カップ、包丁、のこぎり、治工具、カメラ、ビデオ撮影機等の垂直又は水平状態を確保しながら用いる工具や装置に簡単に取り付けて必要な角度状態を簡易に保ちながら使用することができる。
【００３６】
また、非常に簡単で安価に製作できるため、高精度で効果な角度設定装置に比較して一般需要者による簡易な使用及び活用に好適な角度状態確認装置である。
【図面の簡単な説明】
【００３７】
【図１】本発明の第１の実施形態に係る角度状態確認装置の実施例を示す概略図である。
【図２】本発明の第１の実施形態を包丁に付した実施例を示す概略図である。
【図３】本発明の第１の実施形態を包丁に付した場合の観測概略図である。
【図４】本発明の第２の実施形態に係る角度状態確認装置の実施例を示す概略図である。
【図５】本発明の第２の実施形態を包丁に付した場合の観測概略図である。
【図６】本発明の第３の実施形態に係る角度状態確認装置の実施例を示す概略図である。
【図７】本発明の第３の実施形態を包丁に付した場合の観測概略図である。
【図８】本発明の第１の実施形態をのこぎりに付した実施例を示す概略図である。
【図９】本発明の第４の実施形態に係る角度状態確認装置の実施例を示す概略図である。
【図１０】本発明の第５の実施形態に係る角度状態確認装置の実施例を示す概略図である。
【図１１】本発明の第５の実施形態に係る角度状態確認装置の実施例を装着したカメラを示す概略図である。
【図１２】本発明の第５の実施形態に係る角度状態確認装置を装着したカメラの映像配置を示す概略図である。
【図１３】本発明の実施形態に係る角度状態確認装置をカメラ等に装着するための取り付け片を示す概略図である。
【発明を実施するための形態】
【００３８】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００３９】
第１の実施形態を示す。
図１は本発明の第１の実施形態に係る角度状態確認装置の実施例である。同図に示すように、装置１全体は円筒形の筒２であり、円筒は厚さｔ、内径Ｒ、長さｈを有し、上部縁３を黒色塗装してある。また円筒底部は底板４によって塞がれており、底板上面には円筒中心を中心とする円筒内径Ｒより小なる径ｒを有する黒色円マーク５を描いてある。底板は円筒側面に直交して取り付けられているため、本装置を水平面に置いて円筒真上から覗くと、円筒上部縁３の黒色サークルの中央に底面の黒色円マーク５が目玉のように見える。
【００４０】
図２は、上記本発明の第１の実施形態を、例えば包丁６に取り付けた概略図である。同図に示すように、包丁６の歯面に平行になるように本装置１の一態様が包丁の柄７に取り付けられている。
【００４１】
図３は、本装置１を上部より観測した場合の概略図である。通常包丁で切断する対象物はまな板のような水平面に設置されており、切断対象物の上に構えた包丁６の上記本発明の第１の実施形態を真上から見た場合、図３のａのごとく目玉のように見える。
【００４２】
上記状態で、包丁６を押し引きして対象物を切断しようとすると、円筒の上部縁３の黒色サークルを通して見える底面黒色円は図３のａ，ｂ，ｃのように上部縁３の黒色サークル内を黒色円マーク５の目玉が上下に動くように見える。すなわち、図３のｂは包丁の歯先が少し上に傾いたときで、ｃは刃先が下に下がったときを示すものである。いずれにしろ、図３のａ，ｂ，ｃの如く見えるときは、包丁の歯６は切断物に対し垂直に位置しており、対象物を垂直に切断していることになる。
【００４３】
一方、図３のｄのように見えるときは、包丁６の歯が垂直より左に傾いている状態であり、図３のｅの如く見えるときは、包丁６の歯が右に傾いている状態である。すなわち、例えば食パンを垂直に切ろうとするときは、本発明の角度状態確認装置を上から眺めながら中央の黒色円マーク５が左右に偏らず上部縁３の黒色サークルの中心線を行き来するように包丁を操作すればよい。
【００４４】
上記説明では、円筒形の筒２の上部は開放しており、筒内部は空洞としたが、筒上面を底板上部が見えるような透明素材で蓋をしたり、筒内部を透明素材で充填しても本発明の効果が変わらないことは自明である。
【００４５】
さらに、筒の断面形状は円形に限らず楕円形や多角形等本発明の適用分野に合わせた最適形としてもよく、底板上面の黒色印点の円マークも使用場面に合わせたマークとしてもよい。
【００４６】
次に第２の実施形態を示す。
図４は本発明の第２の実施形態に係る角度状態確認装置４０を示す概略図である。図１と同様に、四角形の筒４１に筒側面と直交して上面４２及び底面４３が設けられている、上面４２は樹脂やガラスのような透明素材で構成されており、中心にたとえば黒色で十字線マーク４４（印点）が描かれている。一方、底面４３には、上面４２と同じく中心に、たとえば赤色で上面と同じ十字線マーク４５が描かれている。なお、図４、図５では、説明を分かりやすくするため筒の厚みの記載は省略している。
【００４７】
図１の実施形態と同じく、図４の実施形態を筒側面が包丁６の歯に平行になるよう包丁に取り付けて真上から見た状態を示す概略図が図５である。なお図５では黒色十字線マーク４４（印点）を実線で、赤色十字線マーク４５（印点）を点線で示している。図５のａは包丁を切断対象物の真上に置いた場合で、上面と底面の十字線マーク４４，４５は完全に重なっているため、底面の十字線マーク４５は上面の十字線マーク４４に隠れてしまう。
【００４８】
この状態で包丁を動かして切断を始めると、上面の十字線マーク４４の下から底面の十字線マーク４５が観測できるようになる。図５のａ，ｂ，ｃの状態は包丁６の歯が対象物に垂直になっており、ｄ，ｅは包丁６の歯が左右に傾いている状態である。なお、位置関係を明確に図示するため筒４１の外面４６を斜線で表している。図４の実施形態において、筒断面やマークについては使用場面によって最適な形状としてもよい。
【００４９】
第３の実施形態を示す。
図６は、本発明の第３の実施形態を示す概略図である。図４と同様に、四角形の筒６１によってなっており、筒内部の壁面６２と底板上面６３とは異なる色に着色されている。図７の概略図では例として、内部壁面６２は黒色（斜線表示）に、底板上面６３は白色に着色されている。
【００５０】
本実施形態に係る角度状態確認装置６０も筒側面が包丁６の歯と平行になるように取り付けられる。こうした状態を真上から見たのが図７のａ，ｂ，ｃ，ｄ，ｅである。図７のａは包丁を切断対象物の真上に置いた場合で、筒内部壁面の黒色は見えず、底板上面の白色のみが見える。図７のａ，ｂ，ｃの状態は包丁の歯が対象物に垂直になっており、図７のｄ，ｅは包丁の歯が左右に傾いている状態である。
【００５１】
本実施形態において、筒型形状は正方形ばかりでなく、長方形等使用場面に合わせた最適形としてもよく、着色も判別しやすい最適色としてもよい。
【００５２】
図８は、上記で説明してきた本発明の実施形態を２個、のこぎり８０の柄８４に組み込んだ実施例を示す概略図である。柄８４の上部８２に組み込んだ実施形態に係る角度状態確認装置１の筒はのこぎり８０の歯８５の歯面８１に平行に組み込んであり、柄８４の側面に組み込んだ実施形態に係る角度状態確認装置１の筒はのこぎり８０の歯面８１に垂直に組み込まれている。
【００５３】
切断対象物を垂直に切断する場合は、のこぎり８０の上部８２に組み込まれた角度状態確認装置１を覗き込みながらのこぎり８０を操作すればよい。切断対象物を水平に切断したい場合は、のこぎり８０を水平に構え柄８４の側面８３に組み込まれた角度状態確認装置１を覗き込んで、図３のａのように黒色円マーク５が中央にくるように構えれば、のこぎり８０は水平になっており、その状態を保ちながら切断を行えば、対象物を水平に切断することができる。
【００５４】
上記説明では、角度状態確認装置１をのこぎり８０に組み込んだ例を説明したが、包丁の場合もほぼ同様に使用することができ、角度状態確認装置４０および角度状態確認装置６０も同様に用いることができる。
【００５５】
第４の実施形態を示す。
図９は、本発明の第４の実施形態に係る角度状態確認装置の実施例を示す概略図である。同図に示すように、透明な立体構造物１０３は球体１０７であって、その中央部に印点１０２と、外周部に互いに直角に交わる３本の直行する外周線１０１を有する。印点１０２は球体１０７の下部からの透明な支柱１０８で支えられている。例えば、印点１０２は球体１０７の２分割面（透明円板）の中央に描かれた印点であってもよい。
【００５６】
図９に示すように、第４の実施形態に係る角度状態確認装置によれば、球体１０７の外側の前後左右の方向から外周線１０１の直交する点を中央にして印点１０２を直視することにより、角度状態を認識することができる。つまり第４の実施形態に係る角度状態確認装置を計量カップ、包丁、のこぎり、治工具、カメラ、ビデオ撮影機等に装着することによって、作業者は、簡易にそれらの傾きを認識し確認しながら角度を補正して使用することができる。
【００５７】
さらに第５の実施形態を示す。
図１０は、本発明の第５の実施形態に係る角度状態確認装置の実施例を示す概略図である。同図に示すように、透明な立体構造物１０３は、立方体１０４又は直方体１０５であって、その中央部に印点１０２を有する。立体構造物１０３の１の外周面である底面Ａ１０９には、上下の２本の稜線（線分）に外周線１０１を有し、底面Ａと印点を挟んで対向する底面Ｂ１１０には、左右の２本の稜線（線分）に外周線１０１を有する。
【００５８】
図１１は、本発明の第５の実施形態に係る角度状態確認装置の実施例を装着したカメラを示す概略図である。同図に示すように、カメラ１１１のレンズ１１２のある撮影面側の下部に本発明の第５の実施形態に係る角度状態確認装置１１３が装着されている。角度状態確認装置１００は、図１０において示す底面Ａ１０９側が撮影面側（レンズ１１２のある面側）に向いている。
【００５９】
撮影者は、自分撮りをする場合、図１１に示すカメラ１１１の撮影面側（レンズ１１２のある面側）からカメラを把持して自分の映像を撮影することになるため、撮影物の位置や配置をファインダーで確認することができない。よって、本発明の第５の実施形態に係る角度状態確認装置を装着したカメラを用いて自分の画像内の配置を認識し調節することができるようになる。
【００６０】
図１２は、本発明の第５の実施形態に係る角度状態確認装置を装着したカメラの映像配置を示す概略図である。同図に示すように、左側の図は、自分撮りをする撮影者が、カメラ１１１に本発明の第５の実施形態に係る角度状態確認装置１１３（図１０に示す角度状態確認装置。）を装着して視認した場合の外周線と印点１０２の位置を示している。右側の図は、それぞれに対応するカメラ内の映像１１４における自分撮りの撮影者の配置を示している。
【００６１】
本発明の第５の実施形態に係る角度状態認識装置１１３によれば、自分撮りをする撮影者は、カメラに装着した角度状態確認装置に見える印点１０２の位置を自分の映像と仮定して、撮影する映像に映る自分の配置を容易に認識することができるため、望む配置の自分撮りを簡易にすることができる。
【００６２】
図１３は、本発明の実施形態に係る角度状態確認装置をカメラ等に装着するための取り付け片を示す概略図である。同図に示すように、本発明の実施形態に係る角度状態確認装置の立体構造物１０３の一面に、取り付け穴１１６を有する取り付け片１１５を設けることによりネジ１１７などによって、計量カップ、包丁、のこぎり、治工具、カメラ、ビデオ撮影機等に容易に装着することができるようになる。但し、この取り付け片及び装着方法は図１３に示すようなネジ装着に限定するものではない。装着方法は種々の従来技術で対応できるが、これらも本発明の技術思想の一部である。
【００６３】
本発明は上述した実施形態に限定されるものではなく、本発明の主旨を逸脱しない範囲で種々変更して実施することが可能であり、特許請求の範囲と均等な範囲内での全ての変更が含まれることが意図される。例えば、角度状態確認装置を構成する透明な立体構造物は架空の立体であり、仮想する立体構造物の必要な位置に印点及び外周線が印刷物等として配置されていれば本発明の１の実施形態として対応できる。また本発明に係る角度状態確認装置を装着した計量カップ、包丁、のこぎり、治工具、カメラ、ビデオ撮影機等も本発明の範囲であり、これらはいずれもすべて本技術思想の一部である。
【産業上の利用可能性】
【００６４】
本発明の利用として、上記説明では計量カップ、包丁、のこぎり、治工具、カメラ、ビデオ撮影機等の対象物を垂直あるいは水平に把持するための角度状態確認装置として用いる例を説明したが、錐やドリルの後部であっても本発明を付加あるいは組み込んで垂直及び水平状態を確認しながら使用することができる。
【００６５】
さらに、上記説明の工具や道具への応用ばかりでなく、非常に簡易かつ安価に実現できるため、ゴルフクラブや壁掛け時計等、垂直状態や水平状態で用いるものに組み込むことが可能であり、たいへん広い応用が考えられる。したがって、本発明は上記用途に限定されることなく、あらゆる物品の用途に対しても利用・適用可能であるため、各種産業に対して大きな有益性をもたらすものである。
【符号の説明】
【００６６】
１…角度状態確認装置、２…円筒型筒（円柱体）、３…上部縁、４…底板、５…黒色円マーク、６…包丁、７…包丁の柄、４０…角度状態確認装置、４１…筒、４２…上面、４３…底面、４４…十字線マーク、４５…十字線マーク、６０…角度状態確認装置、６１…筒、６２…筒内部壁面、６３…底板上面、８０…のこぎり、８１…のこぎり歯面、８２…のこぎり柄上部、８３…のこぎり柄側面、８４…のこぎり柄、８５…のこぎり歯、１００…角度状態確認装置、１０１…外周線、１０２…印点（ポイントマーク）、１０３…立体構造物、１０４…立方体、１０５…直方体、１０６…円柱体、１０７…球体、１０８…支柱、１０９…底面Ａ、１１０…底面Ｂ、１１１…カメラ、１１２…レンズ、１１３…第５の実施例の角度状態確認装置、１１４…カメラの映像、１１５…取り付け片、１１６…固定用穴、１１７…ネジ
【図１】
2015148599.tif 000003
【図２】
2015148599.tif 000004
【図３】
2015148599.tif 000005
【図４】
2015148599.tif 000006
【図５】
2015148599.tif 000007
【図６】
2015148599.tif 000008
【図７】
2015148599.tif 000009
【図８】
2015148599.tif 000010
【図９】
2015148599.tif 000011
【図１０】
2015148599.tif 000012
【図１１】
2015148599.tif 000013
【図１２】
2015148599.tif 000014
【図１３】
2015148599.tif 000015